(57)【要約】本発明に係る、便蓋のための緩速閉止機構（Ａ）は、左ヒンジシャフト（１）と、右ヒンジシャフト（２）と、メインフレーム（３）と、メインフレーム（３）に設けられ便器と整合するスロット付きの足部（４）と、ダンパハウジング（５）と、圧縮部材（６）と、緩速閉止ダンパ（７）とを備えている。そして、この緩速閉止機構（Ａ）は、既存の便蓋に、これを修正することなく容易に取り付け又は取り外すことができる。
2007533398.tif 000002
【特許請求の範囲】
【請求項１】
左ヒンジシャフト（１）と、右ヒンジシャフト（２）と、メインフレーム（３）及び該メインフレーム（３）に設けられ該メインフレームを便器に取り付けるためのスロット付きの足部（４）と、ダンパハウジング（５）と、圧縮部材（６）と、緩速閉止ダンパ（７）とを備えていることを特徴とする便蓋のための緩速閉止機構（Ａ）。
【請求項２】
請求項１に記載の緩速閉止機構のメインフレーム（３）であって、
便器に取り付けるための２つのスロット付きの足部（４）と、両足部間を伸びる取り付け媒介物、好ましくは中空直方体と中空半割円柱とが結合されてなるフレームと、ダンパハウジングのための受入間隙部（１７）と、左側に設けられた左ヒンジシャフト用の穴（１５）と、右側に設けられた右ヒンジシャフト用の穴（１６）とを備えていることを特徴とするメインフレーム。
【請求項３】
請求項１に記載の緩速閉止機構の左ヒンジシャフト（１）であって、
円柱形の左ヒンジシャフト構成部分ａ（１ａ）と、六角形の左ヒンジシャフト構成部分ｂ（１ｂ）と、円柱形の左ヒンジシャフト構成部分ｃ（１ｃ）と、円柱形の左ヒンジシャフト構成部分ｄ（１ｄ）とで構成された４段式構造のものであることを特徴とする左ヒンジシャフト。
【請求項４】
請求項１に記載の緩速閉止機構の右ヒンジシャフト（２）であって、
六角形の右ヒンジシャフト構成部分ａ（２ａ）と、円柱形の右ヒンジシャフト構成部分ｂ（２ｂ）と、円柱形の右ヒンジシャフト構成部分ｃ（２ｃ）と、円柱形の右ヒンジシャフト構成部分ｄ（２ｄ）とで構成された４段式構造のものであることを特徴とする左ヒンジシャフト。
【請求項５】
請求項１に記載の緩速閉止機構のダンパハウジング（５）であって、
緩速閉止ダンパ（７）が堅固に取り付けられる半円形の間隙部を有し、
かつ、メインフレームに設けられたダンパハウジング（３）の受入間隙部（１７）に配置されるべき構造を有することを特徴とするダンパハウジング。
【請求項６】
請求項１に記載の緩速閉止機構の圧縮部材（６）であって、
メインフレーム（３）に取り付けられたダンパハウジング（５）の間に配置することができ、かつ、該圧縮部材の端面（６ａ、６ｂ）で緩速閉止ダンパを圧縮することができることを特徴とする圧縮部材。
【請求項７】
請求項３に記載の左ヒンジシャフト（１）において、
左ヒンジシャフト構成部分ｄ（１ｄ）がメインフレーム（３）内に存在し、かつ左ヒンジシャフト構成部分ａ、ｂ、ｃ（１ａ、１ｂ、１ｃ）が左ヒンジシャフト用の穴（１５）から突出するようにして、メインフレーム（３）に取り付けられていることを特徴とする左ヒンジシャフト。
【請求項８】
請求項７に記載の左ヒンジシャフト（１）において、
左ヒンジシャフト用の穴（１５）の直径が、左ヒンジシャフト構成部分ｄ（１ｄ）の直径より小さく、かつ、左ヒンジシャフト構成部分ａ、ｂ、ｃ（１ａ、１ｂ、１ｃ）の直径より大きいことを特徴とする左ヒンジシャフト。
【請求項９】
請求項４に記載の右ヒンジシャフト（２）において、
右ヒンジシャフト構成部分ｄ（２ｄ）がメインフレーム（３）内に存在し、かつ右ヒンジシャフト構成部分ａ、ｂ、ｃ（２ａ、２ｂ、２ｃ）が右ヒンジシャフト用の穴（１６）から突出するようにして、メインフレーム（３）に取り付けられていることを特徴とする右ヒンジシャフト。
【請求項１０】
請求項９に記載の右ヒンジシャフト（２）において、
右ヒンジシャフト用の穴（１６）の直径が、右ヒンジシャフト構成部分ｄ（２ｄ）の直径より小さく、かつ、右ヒンジシャフト構成部分ａ、ｂ、ｃ（２ａ、２ｂ、２ｃ）の直径より大きいことを特徴とする右ヒンジシャフト。
【請求項１１】
請求項５に記載の緩速閉止ダンパ（７）において、
ダンパハウジング（５）内に堅固に着座し、ダンパハウジング（５）によってメインフレーム（３）内に定着していることを特徴とする緩速閉止ダンパ。
【請求項１２】
請求項６に記載の圧縮部材の端面（６ａ、６ｂ）であって、
メインフレーム（３）内の左ヒンジシャフト（１）と右ヒンジシャフト（２）との間の緩速閉止ダンパ（７）を圧縮することを特徴とする端面。
【請求項１３】
請求項１に記載の緩速閉止機構（Ａ）のための便器用の底蓋であって、
それぞれ該底蓋（１４）に取り付けられた、底蓋右ヒンジアーム（１１）及び底蓋左ヒンジアーム（１２）を備えていることを特徴とする底蓋。
【請求項１４】
請求項１３に記載の便器用の底蓋（１４）において、
上記底蓋右ヒンジアーム（１１）が自由結合部によって右ヒンジシャフト構成部分ｂ（２ｂ）に取り付けられ、上記底蓋左ヒンジアーム（１２）が左ヒンジシャフト構成部分ｂ（１ｂ）に取り付けられていることを特徴とする底蓋。
【請求項１５】
請求項１４に記載の便器用の底蓋（１４）において、
上記底蓋左ヒンジアーム（１２）が左ヒンジシャフト構成部分ｂ（１ｂ）に取り付けられているところの穴が、左ヒンジシャフト構成部分ｂ（１ｂ）と同様の六角形であることを特徴とする底蓋。
【請求項１６】
請求項１に記載の緩速閉止機構（Ａ）のための便器用の上蓋（８）であって、
それぞれ該上蓋に取り付けられた、上蓋右ヒンジアーム（１０）及び上蓋左ヒンジアーム（１３）を備えていることを特徴とする上蓋。
【請求項１７】
請求項１６に記載の便器用の上蓋において、
上記上蓋右ヒンジアーム（１０）が右ヒンジシャフト構成部分ａ（２ａ）に取り付けられ、上記上蓋左ヒンジアーム（１３）が自由結合部によって左ヒンジシャフト構成部分ａ（１ａ）に取り付けられていることを特徴とする上蓋。
【請求項１８】
請求項１７に記載の便器用の上蓋において、
上蓋右ヒンジアーム（１０）が右ヒンジシャフト構成部分ａ（２ａ）に取り付けられているところの穴が、右ヒンジシャフト構成部分ａ（２ａ）と同様の六角形であることを特徴とする上蓋。
【請求項１９】
請求項２に記載のメインフレーム（３）において、
該メインフレームを便器に取り付けるためのスロット付きの足部（４）のチャンネルにねじ（９）が取り付けられていて、該ねじにより便器に取り付けられることを特徴とするメインフレーム。
【発明の詳細な説明】
【技術分野】
【０００１】
本発明は、便蓋（toilet cover）を緩速閉止させるためのフレーム機構に関するものである。
【背景技術】
【０００２】
便蓋を円滑に閉止させる機構は、すでに多年にわたって製造されている。便蓋を緩速で閉止させるための従来技術において、便器に取り付けられる機構及びそのフレームはよく知られている。これらの機構及び／又はそのフレームには、それらが多数の部品を有し、複雑な構造を有し、便器をかさばらせる結果となるので、その組み立て及び保守点検が困難となるといった問題がある。
【０００３】
従来技術においては、緩速閉止ダンパのヒンジ取り付け部材が用いられている。この取り付け部材は、工業的に利用され、便器の取り付け穴に個別にはめ込まれ、フレーム部材とは互いに接続されていない。このシステムは、あらゆる種類の便器及び便蓋に適しているといった特徴があるが、フレーム及びダンパの凹部が互いに接続されていないといった事実のため、取り付けが困難である。
【０００４】
さらにもう１つの従来技術においては、緩速閉止ダンパのヒンジ取り付け部材は単一のフレームであり、緩速閉止ダンパは、かぎ爪結合具により凹部に固定されている。しかしながら、緩速閉止ダンパのヒンジに連結されるプラスチックの附属部品が単一片であるといった事実のため、取り付けが困難である。組み立て時には、単一片の取り付け部材は、ダンパに予めはめ込まれ、この後にヒンジの凹部に取り付けられる。しかしながら、この単一片の取り付け部材がヒンジの凹部内に取り付けられたままであるので、分解時にこの部分を取り替えるのが非常に困難である。たとえ緩速閉止ダンパを便蓋に取り付けたとしても、その後の分解時に便器から完全に取り外さなければならない。
【０００５】
さらに、特許文献１〜５に開示された従来技術に係る緩速閉止構造を備えた便蓋は、その構造が複雑であるので、コスト、使用方法及び保守点検の面で問題がある。
【特許文献１】独国特許出願公開第１００２０１８０号明細書
【特許文献２】独国特許出願公開第３７１８７０５号明細書
【特許文献３】米国特許第６００９５６８号明細書
【特許文献４】米国特許第５９４６７４０号明細書
【特許文献５】米国特許第５８４２２３５号明細書
【発明の開示】
【発明が解決しようとする課題】
【０００６】
本発明の目的は、既存の便蓋に緩速閉止ダンパシステムを設けるために必要とされる付属部品（アタッチメント）を提供することである。この付属部品により、既存の便蓋を何ら修正することなく、該便蓋に緩速閉止ダンパヒンジ用いることを可能にし、かつ、容易な組み立て及び分解を可能にすることを実現しようとするものである。
【課題を解決するための手段】
【０００７】
本発明に係るシステムは、添付の図面に示されている。なお、図面中において、異なる部品には個別の参照番号が付けられ、これらの参照番号は、符号の説明の欄にまとめられている。
【発明を実施するための最良の形態】
【０００８】
本発明は、ビトラ（登録商標：Vitra(R)）又はその他の商品名が付けられた既存の便蓋（トイレカバー）に緩速閉止ダンパ７を設けるように構成されたヒンジフレームと、便蓋のための緩速閉止機構Ａとに関するものである。本発明は、市販されている緩速閉止ダンパ７がハウジング５内に着座することを確実にするとともに、該緩速閉止ダンパ７がその凹部（recess）から予期に反して離脱するのを防止することを確実にすることを目的としている。
【０００９】
図１に示す緩速閉止機構Ａは、左ヒンジシャフト１と、右ヒンジシャフト２と、メインフレーム３及び該メインフレーム３に設けられ該メインフレーム３を便器（toilet）に取り付けるためのスロット付きの足部４と、ダンパハウジング５と、圧縮部材６と、緩速閉止ダンパ７とを備えている（図２参照）。
【００１０】
図２に示すように、メインフレーム３は、便器に取り付けるための２つのスロット付きの足部４と、両足部４間を伸びる取り付け媒介物（attachment channel）、好ましくは中空直方体と中空半割円柱とが結合されてなるフレームと、ダンパハウジング５のための受入間隙部１７と、左側に設けられた左ヒンジシャフト１用の穴１５と、右側に設けられた右ヒンジシャフト２用の穴１６とを備えている
【００１１】
左ヒンジシャフト１は、４段式構造のものであり、円柱形の左ヒンジシャフト構成部分ａ（１ａ）と、六角形（六角柱）の左ヒンジシャフト構成部分ｂ（１ｂ）と、円柱形の左ヒンジシャフト構成部分ｃ（１ｃ）と、円柱形の左ヒンジシャフト構成部分ｄ（１ｄ）とで構成されている。
【００１２】
右ヒンジシャフト２は、４段式構造のものであり、六角形（六角柱）の右ヒンジシャフト構成部分ａ（２ａ）と、円柱形の右ヒンジシャフト構成部分ｂ（２ｂ）と、円柱形の右ヒンジシャフト構成部分ｃ（２ｃ）と、円柱形の右ヒンジシャフト構成部分ｄ（２ｄ）とで構成されている。
【００１３】
緩速閉止ダンパ７は、弾性を有するポリマ材料でもって円柱形に形成されている。
【００１４】
ダンパハウジング５は、半円形の間隙部（gap）を有していて、緩速閉止ダンパ７はこの間隙部に堅固に固定されている。ダンパハウジング５は、メインフレーム３の、ダンパハウジング５の受入間隙部１７内に配置されるように構成されている。
【００１５】
図２及び図３に示すように、圧縮部材６（compressing member）は、メインフレーム３に取り付けられた両ダンパハウジング５間に配置することができるものであり、該圧縮部材の端面（６ａ、６ｂ）で緩速閉止ダンパ７を圧縮することができるものである。
【００１６】
図１及び図３に示すように、左ヒンジシャフト１は、左ヒンジシャフト構成部分ｄ（１ｄ）がメインフレーム３内に位置（残留）し、かつ左ヒンジシャフト構成部分１ａ、１ｂ、１ｃが左ヒンジシャフト用の穴１５から突出するようにして、メインフレーム３に取り付けられている。左ヒンジシャフト用の穴１５の直径は、左ヒンジシャフト構成部分ｄ（１ｄ）の直径より小さく、かつ、左ヒンジシャフト構成部分１ａ、１ｂ、１ｃの直径より大きい。右ヒンジシャフト２は、右ヒンジシャフト構成部分ｄ（２ｄ）がメインフレーム３内に位置（残留）し、かつ右ヒンジシャフト構成部分２ａ、２ｂ、２ｃが右ヒンジシャフト用の穴１６から突出するようにして、メインフレーム３に取り付けられている。右ヒンジシャフト用の穴１６の直径は、右ヒンジシャフト構成部分ｄ（２ｄ）の直径より小さく、かつ、右ヒンジシャフト構成部分２ａ、２ｂ、２ｃの直径より大きい。
【００１７】
両ダンパハウジング５間に受け入れられる図３に示す圧縮部材６の機能により、図２に示す緩速閉止ダンパ７が図３に示すダンパハウジング５を介してダンパハウジング５内の据え付け位置に堅固に着座したときに、図２に示すメインフレーム３の機構が実現される。左ヒンジシャフト１及び右ヒンジシャフト２の回転移動（回転運動）は、圧縮部材の端面６ａ、６ｂの機能によって減速され、メインフレーム３内の左ヒンジシャフト１と右ヒンジシャフト２との間の緩速閉止ダンパ７を圧縮する。
【００１８】
図４に示す緩速（円滑）閉止機構Ａにおいては、底蓋右ヒンジアーム１１と底蓋左ヒンジアーム１２とが、便器の底蓋１４に取り付けられている。底蓋右ヒンジアーム１１は、自由結合部（フリーカップリング）により、右ヒンジシャフト構成部ｂ（２ｂ）に取り付けられている。底蓋左ヒンジアーム１２も、左ヒンジシャフト構成部ｂ（１ｂ）に取り付けられている。底蓋左ヒンジアーム１２が左ヒンジシャフト構成部分ｂ（１ｂ）に取り付けられているところの穴が、左ヒンジシャフト構成部分ｂ（１ｂ）と同様の六角形であるので、底蓋１４及び左ヒンジアーム１２は、左ヒンジシャフト１の回転移動を生じさせる機能を有する。その結果、底蓋１４は、緩速に閉じ及び開くことができる性質をもつことになる。
【００１９】
図４に示す緩速（円滑）閉止機構Ａにおいては、上蓋右ヒンジアーム１０と上蓋左ヒンジアーム１３とが、便器の上蓋８に取り付けられている。上蓋右ヒンジアーム１０は、右ヒンジシャフト構成部分ａ（２ａ）に取り付けられている。上蓋左ヒンジアーム１３は、自由結合部（フリーカップリング）により、左ヒンジシャフト構成部分ａ（１ａ）に取り付けられている。上蓋右ヒンジアーム１０が右ヒンジシャフト構成部分ａ（１ａ）に取り付けられているところの穴が、右ヒンジシャフト構成部分ａ（１ａ）と同様の六角形であるので、上蓋８及び上蓋右ヒンジアーム１０は、右ヒンジシャフト２の回転移動を生じさせる機能を有する。その結果、上蓋８は、緩速に閉じ及び開くことができる性質をもつことになる。
【００２０】
図４に示すメインフレーム３の便器取り付け用のスロット付きの足部４におけるチャンネルは、便器にねじ９を締結するのに用いられる。
【００２１】
上記の便蓋用の好ましい緩速閉止機構Ａは、本発明の保護範囲を限定することは意図してはいない。本発明による上記知見に鑑みれば、上記の好ましい緩速閉止機構に対するすべての修正は、本発明の保護範囲内のものであると解すべきである。
【図面の簡単な説明】
【００２２】
【図１】便蓋のための緩速閉止機構の左前からみた斜視図である。
【図２】取り付け前における、便蓋のための緩速閉止機構の左前からみた斜視図である。
【図３】ひっくり返した状態における、便蓋のための緩速閉止機構の右後からみた斜視図である。
【図４】取り付け後における、便蓋のための緩速閉止機構の右後からみた斜視図である。
【符号の説明】
【００２３】
Ａ  緩速閉止機構
１            左ヒンジシャフト
１ａ            左ヒンジシャフト構成部分ａ
１ｂ            左ヒンジシャフト構成部分ｂ
１ｃ            左ヒンジシャフト構成部分ｃ
１ｄ            左ヒンジシャフト構成部分ｄ
２            右ヒンジシャフト
２ａ            右ヒンジシャフト構成部分ａ
２ｂ            右ヒンジシャフト構成部分ｂ
２ｃ            右ヒンジシャフト構成部分ｃ
２ｄ            右ヒンジシャフト構成部分ｄ
３            メインフレーム
４            便器に取り付けるためのスロット付きの足部
５            ダンパハウジング
６            圧縮部材
６ａ、６ｂ        圧縮部材の端面
７            緩速閉止ダンパ
８            上蓋
９            ねじ
１０            上蓋右ヒンジアーム
１１            底蓋右ヒンジアーム
１２            底蓋左ヒンジアーム
１３            上蓋左ヒンジアーム
１４            底蓋
１５            左ヒンジシャフト用の穴
１６            右ヒンジシャフト用の穴
１７            ダンパハウジングのための開口部
【図１】
2007533398.tif 000003
【図２】
2007533398.tif 000004
【図３】
2007533398.tif 000005
【図４】
2007533398.tif 000006
【国際調査報告】
2007533398.tif 000007
2007533398.tif 000008